(57)【特許請求の範囲】
【請求項１】
水室及び水栓弁座を持つ水栓本体と、
上記水栓本体の水室を一次室と二次室とに仕切るダイアフラムと、
上記ダイアフラムと一体に設けられ上記一次室と上記二次室とを連通する連通孔及びパイロット孔とを形成したダイアフラム受と、
上記ダイアフラム受のパイロット孔を開閉するパイロット弁とを備え、
上記パイロット弁を開くと上記連通孔を経由する水流が生じることにより上記一次室と上記二次室との間に圧力差が生じ上記ダイアフラムが上記水栓本体の水栓弁座と離間して水流路を開き、上記パイロット弁を閉じると上記ダイアフラムが上記水栓本体の水栓弁座と密着して水流路を閉じるガス湯沸器の水栓において、
上記ダイアフラム受は、連通孔の入口部分に連通孔と略同一幅の溝を形成したことを特徴とするガス湯沸器の水栓。
【発明の詳細な説明】
【０００１】
【発明の属する技術分野】
本発明は、水または湯の流路を開閉するガス湯沸器の水栓に関する。
【０００２】
【従来の技術】
従来より、台所等で使用される小型の元止式湯沸器では、給水部に水栓を備え、操作ボタンを押して出湯させる時は、まず操作ボタンに連動した水栓を開き、次にガス流路も開弁してバーナに点火燃焼させる。そして、この水栓の開閉を小さな操作力で行なうために、パイロット弁方式の水栓が用いられる。こうした水栓は、小さな操作力でパイロット弁を開閉するだけで、水栓に供給された水流と水圧を利用してメインの水栓が自動的に開閉する。
この一例について説明する。水栓は、図６に示すように、水栓本体３の水入口側に設けられ、水栓本体３に被せられ水栓本体３と共に水室を形成する蓋１４と、その水室を２つに仕切り仕切られた水室間に生じた差圧により往復移動を繰り返すダイアフラム１３と、ダイアフラム１３と一体に設けられ貫通した小孔の連通孔４１ａとパイロット孔４１ｂとを備えたダイアフラム受４１と、パイロット孔４１ｂを開閉して水流路を開閉するパイロット弁１５と、パイロット弁１５を先端に設け蓋１４にガイドされて摺動するパイロットスピンドル１７と、パイロット弁１５を閉弁方向に付勢する水栓バネ１９とを備える。連通孔４１ａは、ダイアフラム受４１の中央からわずかにずれた水入口部側を円錐台形状に形成し、同じくパイロット孔４１ｂは、ダイアフラム受４１の中央部を円錐台形状と弁座とを形成したもので、図７に示すように、それぞれの中心に小孔を貫通させる。水入口部に設けられた連通孔４１ａは、中央に設けられたパイロット孔４１ｂに比較して、通過抵抗を大きくする。（例えば、孔の直径を小さくする。）パイロット孔４１ｂは、小孔の周りにパイロット弁１５に対応して弁座が形成される。なお、ダイアフラム受４１において連通孔４１ａとパイロット孔４１ｂとの入口部分は、ダイアフラム１３を一体に組み付ける時に、ダイアフラム受４１がダイアフラム１３に挿入しやすいように、円錐台形状に形成されている。
【０００３】
この水栓４０を開いて出湯させるには、図１にも示すように、まず操作ボタン２４を押し込んでその位置でロックをかけると共に、レバー１８にその動きを伝え、パイロットスピンドル１７を水栓バネ１９の力に抗してパイロット弁１５開弁方向に摺動させる。
パイロット弁１５が開弁すると、水栓二次室１０ｂはパイロット孔４１ｂを介して水栓出口１０ｃと連通される。水栓出口１０ｃは湯出口２３を介して外部即ち大気と通じているので、水栓二次室１０ｂ内は、今まで加わっていた水圧が開放されて低下する。それに伴い水栓本体入口部３ｃに供給された水は、水栓本体３側の水栓一次室１０ａからダイアフラム受４１の連通孔４１ａを通過してダイアフラム１３で仕切られた蓋１４側の水栓二次室１０ｂへ達し、パイロット弁１５で開弁されたパイロット孔４１ｂを通過して再びダイアフラム１３で仕切られた水栓本体３側の水栓出口１０ｃへ入る。こうした水流が生じると、連通孔４１ａはパイロット孔４１ｂより水流に対する通過抵抗が大きいので、水栓二次室１０ｂ側へ差圧力が生じ、ダイアフラム受４１と共にダイアフラム１３が水栓弁座３ｄよりリフトする。水栓一次室１０ａから水栓弁座３ｄを経由して水栓出口１０ｃへの通水が開始され、ダイアフラム１３が所定距離リフトすると、水栓一次室１０ａと水栓二次室１０ｂの水圧が同一となってリフトが終了し、水栓４０が全開状態となる。その結果、水栓本体入口部３ｃより水圧応動装置１６へ通水される。
一方、水栓４０を閉じて出湯を停止させるには、操作ボタン２４を再度押してロックを解除すると共に手前に戻し、レバー１８も戻す。すると、水栓バネ１９の力によりパイロットスピンドル１７が摺動してパイロット弁１５がパイロット孔４１ｂを閉じつつダイアフラム１３が水栓弁座３ｄを塞ぐ。同時に、常に開いている連通孔４１ａを介して水栓一次室１０ａから水栓二次室１０ｂに水が供給されると共に、水栓本体入口部３ｃの水圧が直接水栓二次室１０ｂに加えられ、ダイアフラム１３を水栓弁座３ｄの閉塞状態を保持する方向に押圧する。そして、この水圧による押圧力によって確実に止水状態が保持される。
【０００４】
【発明が解決しようとする課題】
しかしながら、この連通孔４１ａは、そこを通過する水流を利用して差圧を生じさせ小さな操作力で水栓４０を開閉する機能をもたせるため、例えば直径０．６ｍｍという小孔が開けられる。そのため、図７に示すように、水流中の異物は、たとえそれが比較的小さな異物であっても、連通孔４１ａより大きいと連通孔４１ａ入口を塞いでしまう恐れがある。もし、連通孔４１ａが、異物により塞がれると、水栓一次室１０ａと水栓二次室１０ｂとの導通が阻害され、閉弁できなかったり、止水状態が保持できなくなる。
このため、水栓４０上流にストレーナ９を設け、水流により運ばれてくる異物の侵入を防止するが、ストレーナ９のフィルター網目を細かくして小さな異物の侵入を防止しようとする場合には、フィルター網目がすぐにつまってしまってストレーナ９の掃除あるいは交換がたいへんである。
これをきらって、ストレーナ９を通過してしまった小さな異物を通過させてしまう目的で連通孔４１ａを大きくすると、それに伴ってパイロット弁１５等も大きくなってしまって、水栓バネ１９も強い力が必要となる。そして、水栓バネ１９の力に抗してパイロット弁１５を開くための動作力即ち操作ボタン２４の押込み力も増加してしまう。
本発明のガス湯沸器の水栓は、コンパクトな形状を保ったまま上記課題を解決し、水流中に異物が混入しても、しかも小さな異物であっても、連通孔の導通を確保し、確実に止水状態を保持することを目的とする。
【０００５】
【課題を解決するための手段】
本発明の請求項１記載のガス湯沸器の水栓は、水室及び水栓弁座を持つ水栓本体と、上記水栓本体の水室を一次室と二次室とに仕切るダイアフラムと、上記ダイアフラムと一体に設けられ上記一次室と上記二次室とを連通する連通孔及びパイロット孔とを形成したダイアフラム受と、上記ダイアフラム受のパイロット孔を開閉するパイロット弁とを備え、上記パイロット弁を開くと上記連通孔を経由する水流が生じることにより上記一次室と上記二次室との間に圧力差が生じ上記ダイアフラムが上記水栓本体の水栓弁座と離間して水流路を開き、上記パイロット弁を閉じると上記ダイアフラムが上記水栓本体の水栓弁座と密着して水流路を閉じるガス湯沸器の水栓において、上記ダイアフラム受は、連通孔の入口部分に連通孔と略同一幅の溝を形成したことを要旨とする。
【０００６】
上記構成のガス湯沸器の水栓によれば、パイロット弁を開くと、水栓本体水室の二次室に加わっていた圧力がパイロット孔を経由して開放される。それに伴って、水栓本体水室の一次室側からダイアフラム受に形成された連通孔を経由して二次室側へ水が供給される。一次室と二次室との間に圧力差が生じ、一次室と二次室との間を仕切っているダイアフラムが、この差圧力により水栓弁座から離間し、水流路が開く。
一方、パイロット弁を閉じると同時にダイアフラムを水栓弁座に密着させると、いったん一次室から二次室へ流入した水は、行き場を失う。そして、常に開いている連通孔を介して水の圧力が直接二次室に加わるので、二次室の圧力によりダイアフラムは水栓弁座に強く押しつけられる。こうして止水状態が継続される。
この水栓によれば、水栓開閉時に、水流中の異物が水流により連通孔の入口に吸い寄せられくっついてしまっても、連通孔の入口部分に連通孔と略同一幅の溝を形成しているので、同時にその溝をも塞がれてしまうということはなく、その溝を介して一次室と二次室との間の導通や水流が確保される。なお、連通孔が塞がれた時でも、略同一幅の溝の開口部が全体の通過抵抗に大きく影響を与えることもない。溝が大きすぎて、溝そのものが先に塞がれてしまうこともない。
【０００７】
【発明の実施の形態】
以上説明した本発明の構成・作用を一層明らかにするために、以下本発明のガス湯沸器の水栓の好適な実施例について説明する。
図１は一実施例としての水栓を備えたガス湯沸器の概略構成図である。
水栓１０を備えたガス湯沸器１は、大別して自動装置部と燃焼部とケーシング部とから構成される。
まず、自動装置部は、器具正面に設けられた操作ボタン２４と、操作ボタン２４と連動し通電制御回路をオンオフする点火スイッチ２５と、同じく操作ボタン２４と連動しガスの供給路を開閉する器具栓１２および水の供給路を開閉する水栓１０と、水栓１０上流で水流中の異物の侵入を防ぐストレーナ９と、水栓１０下流で通水により作動する水圧応動装置１６と、燃焼熱により通水を湯に変える熱交換器２１と、熱交換器２１からの湯を出湯させる湯出口２３とを備える。
水栓１０の構成で従来技術と同一部分の詳しい説明は、既に説明したので重複を避けるため省略する。
水圧応動装置１６は、内部に部屋を持った水栓本体３と、その部屋を２つに仕切り水圧によって往復移動を行なうダイアフラム６を備える。水栓本体３は、水を供給される水入口部３ｃと、水の流路を水栓１０により開閉される水栓弁座３ｄと、その下流でダイアフラム６により仕切られた一次室３ａと二次室３ｂとを備える。
水栓１０は、従来の技術（図６）でも既に説明したが、図２に示すように、ダイアフラム１３と一体で貫通した小孔の連通孔１１ａとパイロット孔１１ｂとを備えたダイアフラム受１１と、パイロット孔１１ｂを開閉して水流路を開閉するパイロット弁１５等を備え、連通孔１１ａは、ダイアフラム受１１の中央からわずかにずれた水入口部側を円錐台形状に形成し、同じくパイロット孔１１ｂは、ダイアフラム受１１の中央部を円錐台形状と弁座とを形成する。そして、図３に示すように、それぞれの中心に小孔を貫通させる。さらに、水入口部の連通孔１１ａは、円錐台形状の入口部分に小孔の直径よりわずかに小さい幅の凹み形状の溝１１ｐを備える。この溝１１ｐは、連通孔１１ａの入口部分から所定の深さだけ小孔を中心にはさんで左右にわたって凹みを形成したものである。
また、自動装置部は、図１に示すように、ダイアフラム６と当接して摺動するスピンドル２７と、スピンドル２７に貫通されガス流路を開閉する水圧応動弁２０と、スピンドル２７の摺動によりガス流路を開閉する電磁安全弁７と、スピンドル２７先端で電磁安全弁７を押し開く開弁装置８と、通水時に前進したスピンドル２７を後退方向に付勢するバネ２６とを備える。
【０００８】
燃焼部は、燃料ガスを噴出するノズル５と、その燃料ガスを燃焼させるバーナ４と、燃焼火炎を取り巻く燃焼室２と、高電圧を印加され放電する電極３７と、電極３７の放電により燃料ガスに点火されるパイロットバーナ３８と、パイロットバーナ３８の燃焼熱により熱起電力を発生する一次熱電対３６と、バーナ４の燃焼熱により熱起電力を発生する二次熱電対１３と、高電圧を発生させ電極３７へ印加するイグナイター（図示略）と、点火，消火等の電気的制御を司どるコントローラ２８とを備える。
【０００９】
ケーシング部は、自動装置部や燃焼部を固定するバックカバー（図示略）と、自動装置部や燃焼部を前面から覆い操作関係の表示等を行なうフロントカバー（図示略）とを備える。
【００１０】
次に、ガス湯沸器１の作動について説明する。
操作ボタン２４を押すと、レバー１８を介して操作ボタン２４に連動した水栓１０が開弁し通水を開始する。ガス湯沸器１に供給された水は、まず水圧応動装置１６を経由し熱交換器２１を通過して湯となり湯出口２３から出湯する。なお、水栓１０の開閉動作の詳しい説明については、既に従来技術で説明した内容と同一で重複するので省略する。
水栓１０が開き、水圧応動装置１６に通水されると、ダイアフラム６で区切られた水栓本体一次室３ａと水栓本体二次室３ｂ間に差圧を生じ、ダイアフラム６に発生した差圧力によりダイアフラム６が変移すると共に、ダイアフラム６に当接したスピンドル２７が摺動して、水圧自動弁２０を開弁する。
この時の各弁の動きを順を追って説明する。まず、スピンドル２７の先端に設けられた開弁装置８がマグネット安全弁７を押す。開弁装置８がマグネット安全弁７を押動開弁している位置ではスピンドル２７はまだ水圧自動弁２０を開弁しない関係に設定してある。開弁装置８は、マグネット安全弁７を押し開いた後（開弁完了後）、ロックが解除されスピンドル２７上を摺動して戻る。
この時、マグネット安全弁７は、コントローラ２８の指令による通電により吸着開弁状態を維持し、開弁装置８の後退により閉弁可能状態となる。そして、さらにスピンドル２７が前進して水圧自動弁２０が開き始める。水圧自動弁２０が開弁するとガスは、バーナ４に達して燃焼を始める。燃焼中には、コントローラ２８が一次熱電対３６及び二次熱電対１３の発生する熱起電力によって炎および燃焼異常を監視しており、熱起電力が所定値より変化すればマグネット安全弁７への通電を停止して閉弁する。
【００１１】
次に消火動作には、止水によって水圧応動装置１６に差圧力の発生がなくなるので、スピンドル２７はバネ２６によって最初の停止位置まで戻る。スピンドル２７の後退により、まず水圧自動弁２０が閉弁し、さらにスピンドル２７が後退して停止位置に近づくと開弁装置８はスピンドル２７と係合して停止位置に至る。同時に、コントローラ２８によりマグネット安全弁７への通電を停止してマグネット安全弁７を閉弁する。
【００１２】
このガス湯沸器１の水栓１０は、開閉に伴って、水栓一次室１０ａと水栓二次室１０ｂの間に、ダイアフラム受１１の連通孔１１ａを介して水流が生じる。こうした時、水流中の異物がこの水流により連通孔１１ａの入口に吸い寄せられ、そのままくっついてしまっても、その入口部分に連通孔１１ａと略同一幅の溝１１ｐを形成しているので、図３に示すように、異物が塞ぎきらない溝１１ｐの開口部分を介して導通が確保される。そのため、こうした状況になっても、さらに溝１１ｐの開口部分を異物で塞がれない限り、正常に開閉することができる。また、止水時には、常に開いている連通孔１１ａを介して、水栓一次室１０ａから水栓二次室１０ｂに水が供給されると共に、水栓本体入口部３ｃの水圧が直接水栓二次室１０ｂに加えられ、ダイアフラム１３を水栓弁座３ｄの閉塞状態を保持する方向に押圧するので、この水圧による押圧力によって確実に止水状態を保持することができる。なお、連通孔１１ａの入口が異物で塞がれた時でも、この溝１１ｐは十分開口面積を確保しているので、全体の通過抵抗に大きく影響を与えることもない。溝１１ｐが大きすぎて、溝１１ｐそのものが先に塞がれてしまうこともない。
また、ストレーナ９を通過してしまう小さい異物に対しても有効なため、連通孔１１ａを大きくして異物を通過させてしまう必要もないので、コンパクトな形状のまま実施できる。小さい異物を通過させてしまう目的で連通孔１１ａを大きくした場合は、既に説明したように、水栓１０全体が大きくなって操作力も増大してしまうという問題があった。
【００１３】
つぎに、第２実施例について説明する。図５は第２実施例としてのガス湯沸器の水栓の概略構成図で、給湯付風呂釜の浴槽への給湯通路で湯の開閉を行なう水電磁弁３０を表す。
水電磁弁３０は、側部に湯入口と内部に水室とを備え下部から湯を排出する水電磁弁本体３４と、その水室を水電磁弁本体一次室３４ａと水電磁弁本体二次室３４ｂとの２つに仕切り仕切られた水室間に生じた差圧により往復移動を繰り返すダイアフラム３３と、ダイアフラム３３と一体に設けられ貫通した小孔の連通孔３１ａとパイロット孔３１ｂとを備えたダイアフラム受３１と、パイロット孔３１ｂを開閉して湯流路を開閉するパイロット弁３５と、パイロット弁３５を上下に摺動させるソレノイド３２とを備える。水電磁弁本体３４は、側部の湯入口と、それに続く水電磁弁本体一次室３４ａと、ダイアフラム３３で仕切られた水電磁弁本体二次室３４ｂと、ダイアフラム３３が密着あるいは離間する水電磁弁本体弁座３４ｄと、逆流防止弁（図示略）へ接続する水電磁弁本体出口３４ｃとから構成される。水電磁弁本体３４の湯入口には、給湯中の異物侵入を防止するストレーナ３９が設けられる。
連通孔３１ａは、ダイアフラム受３１の中央からわずかにずれた湯入口部側を円錐台形状に形成し、同じくパイロット孔３１ｂは、ダイアフラム受３１の中央部を円錐台形状と弁座とを形成したもので、それぞれの中心に小孔を貫通させる。湯入口部に設けられた連通孔３１ａは、中央に設けられたパイロット孔３１ｂに比較して、直径を小さくすることにより通過抵抗を大きくする。そして、連通孔３１ａは、第１実施例のダイアフラム受１１の連通孔１１ａと同様に、円錐台形状の入口部に小孔の直径よりわずかに小さい幅の凹み形状の溝を形成する。（図３参照）
【００１４】
水電磁弁３０は、図示しないが、給湯付風呂釜の浴槽への給湯通路に逆流防止弁と共に設けられ、コントローラの指令に基づき浴槽への給湯を開閉する。熱交換器を経由して水電磁弁３０に供給された湯は、水電磁弁本体出口３４ｃを通って逆流防止弁へ流入する。逆流防止弁は、いったん外部即ち大気と通じることにより、給湯側が負圧となった場合でも、浴槽の湯を給湯側へ逆流させない働きをする。そのため、水電磁弁３０出口側は、大気と通じているので、大気圧を越えた圧力が生じることはない構成である。
コントローラ（図示略）の指令に基づきソレノイド３２が働きパイロット弁３５が開弁すると、水電磁弁本体二次室３４ｂはパイロット孔３１ｂを介して水電磁弁本体出口３４ｃと導通される。水電磁弁本体出口３４ｃは逆流防止弁（図示略）を介して大気と通じているので、水電磁弁本体二次室３４ｂ内は、今まで加わっていた圧力が開放され低下する。それに伴い第１実施例と同様に、水電磁弁３０に供給された湯は、入口部に続く水電磁弁本体一次室３１ａからダイアフラム受３１の連通孔３１ａを通過してダイアフラム３３で仕切られたソレノイド３２側の水電磁弁本体二次室３４ｂへ達し、パイロット弁３５で開弁されたパイロット孔３１ｂを通過して再びダイアフラム３３で仕切られた水電磁弁本体３３側の水電磁弁本体出口３４ｃへ入る。こうした湯の流れが生じると、連通孔３１ａはパイロット孔３１ｂより湯の流れに対する通過抵抗が大きいので、水電磁弁本体二次室３４ｂ側へ差圧力が生じ、ダイアフラム受３１と共にダイアフラム３３が水電磁弁本体弁座３４ｄよりリフトする。ダイアフラム３３が所定距離リフトして水電磁弁本体一次室３４ａと水電磁弁本体二次室３４ｂの水圧が同一となるとリフトが終了し水電磁弁３０が全開状態となる。そして、水電磁弁本体一次室３４ａから水電磁弁本体弁座３４ｄを経由して水電磁弁本体出口３４ｃへ湯が流れる。
一方、水電磁弁３０を閉じて出湯を停止する時は、コントローラ（図示略）の指令に基づきソレノイド３２が働きパイロット弁３５が摺動してパイロット孔３１ｂを閉じつつ、ダイアフラム３３が水電磁弁本体弁座３４ｄを塞ぐ。同時に、常に開いている連通孔３１ａを介して水電磁弁本体一次室３４ａから水電磁弁本体二次室３４ｂに湯が供給されると共に、その湯の圧力が直接水電磁弁本体二次室３４ｂに加えられ、ダイアフラム３３を水電磁弁本体弁座３４ｄの閉塞状態を保持する方向に押圧する。そして、この押圧力によって確実に出湯停止状態が保持される。
【００１５】
この給湯付風呂釜の水電磁弁３０は、第１実施例と同様に、水電磁弁３０の開閉に伴って、水電磁弁本体一次室３４ａと水電磁弁本体二次室３４ｂの間に、ダイアフラム受３１に設けられた連通孔３１ａを介して湯の流れが生じる。そして、給湯中の異物が連通孔３１ａの入口にくっついてしまっても、連通孔３１ａの略円錐台形の連通部の入口部分に連通孔と略同一幅の凹み形状の溝を形成しているので、異物により塞ぎきらない溝の開口部を介して、湯の導通が確保され、正常に開閉することができる。
また、同様に、連通孔３１ａを大きくする必要がないので、コンパクトな形状のまま実施できる。
以上本発明の実施例について説明したが、本発明はこうした実施例に何等限定されるものではなく、本発明の要旨を逸脱しない範囲において、種々なる態様で実施し得ることは勿論である。例えば、第１実施例の水栓１０の連通孔１１ａに設けられた溝１１ｐの代りに、図４（ア）に示すように、スリット形状の溝１１ｑを用いてもよい。スリット形状の溝１１ｑは、凹み形状の溝１１ｐと違って、略円錐台の斜面にまで開口しているので、入口部分を異物で塞がれても、斜面の開口部分から水の導通が確保できる。第２実施例の水電磁弁３０の場合でも同様である。
また、溝１１ｐの代りに、図４（イ）に示すように、スリット形状の溝を直角方向にもう１本追加した十字形状の溝１１ｒとしてもよい。溝１１ｒを備えた連通孔は、入口部分を異物で塞がれ、さらに溝までも異物で塞がれても、同時に溝の４箇所が塞がれない限り、水の導通は確保される。第２実施例の水電磁弁３０の場合でも同様である。
【００１６】
【発明の効果】
以上詳述したように、本発明のガス湯沸器の水栓によれば、水栓が開閉し水栓本体一次室から二次室への水流が生じる時に、水流中の異物が水流によりダイアフラム受の連通孔の入口に吸い寄せられくっついてしまっても、連通孔の入口部分に連通孔と略同一幅の溝を形成しているので、その溝を介して導通や水流が確保され、正常に開閉することができる。そのため、異物によって水栓が閉じなくなったり閉じても水がリークしてしまったりすることがなく信頼性が高い。また、連通孔を大きくする必要もないことからコンパクトなまま実現できるので、操作力が大きくなったりしない。そのうえスペースもとらず安価である。
【図面の簡単な説明】
【図１】第１実施例としてのガス湯沸器の水栓の概略構成図である。
【図２】水栓部分の概略構成図である。
【図３】連通孔説明図である。
【図４】別の連通孔説明図である。
【図５】第２実施例としてのガス湯沸器の水栓の概略構成図である。
【図６】従来例としてのガス湯沸器の水栓の概略構成図である。
【図７】従来例の連通孔説明図である。
【符号の説明】
１  ガス湯沸器
２  燃焼室
３  水栓本体
３ａ  水栓本体一次室
３ｂ  水栓本体二次室
３ｃ  水栓本体水入口部
３ｄ  水栓弁座
４  バーナ
９  ストレーナ
１０，４０  水栓
１０ａ  水栓一次室
１０ｂ  水栓二次室
１０ｃ  水栓出口
１１，３１  ダイアフラム受
１１ａ，３１ａ  連通孔
１１ｂ，３１ｂ  パイロット孔
６，１３，３３  ダイアフラム
１５，３５  パイロット弁
１７  パイロットスピンドル
１８  レバー
１９  水栓バネ
３０  水電磁弁
３４  水電磁弁本体
【図１】
0003577647.tif 000002
【図２】
0003577647.tif 000003
【図３】
0003577647.tif 000004
【図４】
0003577647.tif 000005
【図５】
0003577647.tif 000006
【図６】
0003577647.tif 000007
【図７】
0003577647.tif 000008